(57)【要約】      （修正有）【課題】打ちっぱなしコンクリート型枠の固定部材構造を提供する。【解決手段】長軸体１１を含む打ちっぱなしコンクリート型枠の固定部材構造であって、固定部材１０はプラスチック材質より作られ、長軸体の両端部には第一制限部１２と第二制限部１３が設けられ、第一、第二制限部の周辺にはそれぞれ複数のかぎ爪１２３、１３３が設けられ、さらに長軸体の中央外径には円板凸リブ１４が設けられ、また固定部材は長軸体を軸方向に貫通して中空チャンネル１５が設けられ、第一、第二制限部の端部は中空チャンネルに向かって内径が大きいねじ山孔１２５、１３５が設けられ、ねじ山孔はそれぞれボルトで締め付けて封鎖する。【選択図】図２
0003226979.tif 000002
【実用新案登録請求の範囲】
【請求項１】
長軸体を含む打ちっぱなしコンクリート型枠の固定部材構造であって、
上記固定部材はプラスチック材質より作られ、
上記長軸体の両端部には第一制限部と第二制限部が設けられ、上記第一、第二制限部の周辺にはそれぞれ複数のかぎ爪が設けられ、さらに上記長軸体の中央外径には円板凸リブが設けられ、また上記固定部材は上記長軸体を軸方向に貫通して中空チャンネルが設けられ、上記第一、第二制限部の端部は上記中空チャンネルに向かって内径が大きいねじ山孔が設けられ、上記ねじ山孔にはそれぞれボルトで締め付けて封鎖することを特徴とする打ちっぱなしコンクリート型枠の固定部材構造。
【請求項２】
上記第一、第二制限部の外径は上記長軸体の外径より大きく、また上記第一、第二制限部の外径には少なくとも一つのリング状凸リブが設けられることを特徴とする請求項１の打ちっぱなしコンクリート型枠の固定部材構造。
【請求項３】
上記第一、第二制限部の端部にはそれぞれ徐々に縮小する円錐形ヘッド部が形成され、また上記第一制限部の各かぎ爪部はすべて上記円錐形ヘッド部より長く、上記第一、第二制限部のかぎ爪端部の内側はすべて内縮して斜面になることを特徴とする請求項２の打ちっぱなしコンクリート型枠の固定部材構造。
【請求項４】
上記第一制限部には成型円板を合わせて嵌め、上記成型円板の外径は徐々に縮小して斜面リング部が設けられ、上記斜面リング部は上記かぎ爪部の斜面と合致して位置決められると同時に、上記成型円板を上記円錐形ヘッド部に当てさせることを特徴とする請求項３の打ちっぱなしコンクリート型枠の固定部材構造。
【請求項５】
上記成型円板の外径は斜面リング部以外、平面リング部もあり、上記平面リング部の外径は上記斜面リング部の最大径と同じであり、上記成型円板は完全にかぎ爪内に嵌められないために上記平面リング部を外へ突出させることを特徴とする請求項４の打ちっぱなしコンクリート型枠の固定部材構造。
【請求項６】
上記中空チャンネルにはセパレーターが貫通することを特徴とする請求項１の打ちっぱなしコンクリート型枠の固定部材構造。
【考案の詳細な説明】
【技術分野】
【０００１】
本考案は型枠の固定部材構造に関し、特に打ちっぱなしコンクリート型枠の固定部材構造に関する。
【背景技術】
【０００２】
打ちっぱなしコンクリートとは、コンクリートを流し込み固まってから型枠を外した後、あらゆる仕上げを加えず、コンクリートの質感だけで建築の表現素材とする手法である。よく見る打ちっぱなしコンクリートは、工法における技術と細部が重視され、いい加減なことができない、さもないと跡が残ってしまう。また該打ちっぱなしコンクリートは一般的に技術の表徴とみなされ、一般な建築業者が型枠を外した後に仕上げをしないことが極めて難しい。しかし、伝統的な打ちっぱなしコンクリート作業の型枠板を組み立てる時、少なくとも一つのセパレーターによって二つの型枠を連結して貫通し、さらにセパレーターと固定部材を合わせて二つの型枠板の間隔距離を制限してから、コンクリートの流し込む作業を行い、固まった後に打ちっぱなしコンクリートが形成される。
【０００３】
しかし、伝統的な打ちっぱなしコンクリートは固まった後に型枠を外した時、二つの型枠の間に貫通されるセパレーターはコンクリートに包まれて結合され、打ちっぱなしコンクリートより取り出せないため、打ちっぱなしコンクリートよりはみ出したセパレーター部分を切り取って、また固定部材を壊すことで、該打ちっぱなしコンクリートの表面に内凹み孔が形成され、該内凹み孔を仕上げることによって打ちっぱなしコンクリート壁の美しさを維持する。しかしこのことは、セパレーターは打ちっぱなしコンクリート内に残され、壁面の内凹み孔は該セパレーターと相通するため、打ちっぱなしコンクリートは日照、風または雨によって該セパレーターが酸化して錆びる状況が生じることで、錆水が壁を伝って流れ落ち、壁は錆水によって汚され、該打ちっぱなしコンクリートの美しさに大きいダメージを与えてしまうため、改善すべき所である。
【０００４】
従って、本考案者は長年にわたって関係商品の製造開発と設計をした経験により、上述の目標について、詳しく設計をして慎重に評価した結果、実用性に満ちた本考案を得た。
【考案の概要】
【考案が解決しようとする課題】
【０００５】
本考案が解決しようとする課題は、従来の打ちっぱなしコンクリートの技術問題点について解決し、打ちっぱなしコンクリート型枠の固定部材構造を提供する。
【課題を解決するための手段】
【０００６】
打ちっぱなしコンクリート型枠の固定部材構造は、上述固定部材はプラスチック材質より作られ、長軸体を含む。該長軸体の両端部には第一制限部と第二制限部とが設けられ、上述第一、第二制限部の周辺にはそれぞれ複数のかぎ爪が設けられ、さらに該長軸体の中央外径には円板凸リブが設けられ、また該固定部材は該長軸体を軸方向に貫通して中空チャンネルが設けられる。上述第一、第二制限部の端部は該中空チャンネルに向かって内径が大きいねじ山孔が設けられ、上述ねじ山孔にはそれぞれボルトで締め付けて封鎖する。
【０００７】
上述第一、第二制限部の外径は該長軸体の外径より大きく、また上述第一、第二制限部の外径には少なくとも一つのリング状凸リブが設けられる。
【０００８】
上述第一、第二制限部の端部にはそれぞれ徐々に縮小する円錐形ヘッド部が形成され、また該第一制限部の各かぎ爪部はすべて上述円錐形ヘッド部より長く、該第一、第二制限部のかぎ爪端部の内側はすべて内縮して斜面になる。
【０００９】
上述第一制限部には成型円板を合わせて嵌め、該成型円板の外径は徐々に縮小して斜面リング部が設けられ、該斜面リング部は上述かぎ爪部の斜面と合致して位置決められると同時に、該成型円板は該円錐形ヘッド部に当てさせる。
【００１０】
上述成型円板の外径は斜面リング部以外、平面リング部もあり、該平面リング部の外径は該斜面リング部の最大径と同じであり、該成型円板は完全にかぎ爪内に嵌められないために該平面リング部を外へ突出させる。
【００１１】
上述中空チャンネルにはセパレーターが貫通する。
【００１２】
該固定部材は打ちっぱなしコンクリートを成型する時、コンクリートの中に埋められて固定される。該固定部材はプラスチック材質より作られるため、酸化して錆びる問題が起きない。また中空チャンネルによってセパレーターの貫通と取り出しが提供されるため、セパレーターが打ちっぱなしコンクリート内に残されることを避け、打ちっぱなしコンクリートから錆水が流れ出す状況を防止し、壁面の美しさを保つ目的を達成することができる。このほか、該固定部材の長軸体の両端には該第一制限部と該第二制限部とが設けられ、また中央に該円板凸リブが設けられる。上述第一、第二制限部の周辺には少なくとも複数のかぎ爪が設けられることで、コンクリートの流し込み作業をする時、上述構造によって該固定部材の位置を制限できると同時に固定部材とコンクリートの結合強度が上がり、作業における安定性を向上し、打ちっぱなしコンクリートの作成効率と良品率が高まる。
【図面の簡単な説明】
【００１３】
【図１】図１は、本考案に係る打ちっぱなしコンクリート型枠の固定部材構造を示す立体図である。
【図２】図２は、本考案に係る打ちっぱなしコンクリート型枠の固定部材構造を示す断面図である。
【図３】図３は、本考案は型枠と組み立てて使用する分解図である。
【図４】図４は、本考案は型枠と組み立てて、それからコンクリートを流し込む断面図である。
【図５】図５は、本考案のコンクリートが固まった後に型枠を外した断面図である。
【図６】図６は、本考案の打ちっぱなしコンクリートが成型した立体図である。
【図７】図７は、本考案にボルトを締め付けたことを示す図である。
【図８】図８は、本考案にボルトを締め付けた断面図である。
【考案を実施するための形態】
【００１４】
まず、図１と図２を参照されたい。本考案の打ちっぱなしコンクリート型枠の固定部材構造は、上述固定部材１０はプラスチック材質より作られ、長軸体１１を含む。該長軸体１１の両端部には第一制限部１２と第二制限部１３とが設けられる。中央外径には円板凸リブ１４が設けられ、該第一、第二制限部１２、１３の外径はともに該長軸体１１の外径より大きく、また上述第一、第二制限部１２、１３の外径には少なくとも一つのリング状凸リブ１２１、１３１が設けられる。該第一、第二制限部１２、１３の端部にはそれぞれ徐々に縮小する円錐形ヘッド部１２２、１３２が形成され、さらに該第一、第二制限部１２、１３の周辺にはそれぞれの円錐形ヘッド部１２２、１３２方向に向かって、複数のかぎ爪１２３、１３３が設けられ、また該第一制限部１２の各かぎ爪部１２３の端部はすべて上述円錐形ヘッド部１２２より長く、各かぎ爪１２３、１３３の端部の内側はすべて内縮して斜面１２４、１３４がある。また該固定部材１０は該長軸体１１を軸方向に貫通して中空チャンネル１５が設けられる。上述第一、第二制限部１２、１３の端部には該中空チャンネル１５に向かって内径が大きいねじ山孔１２５、１３５が設けられ、上述ねじ山孔１２５、１３５にはそれぞれボルト１６で締め付けて封鎖する。
【００１５】
構造の使用は図１、図２に合わせて図３、図４を参照されたい。少なくとも一つの固定部材１０は互いに対合する二つの型枠２０の間に応用され、該固定部材１０によって該二つの型枠２０の間の間隔を制限して位置決めすることで、二つの型枠２０の間はコンクリートを流し込み成型し、打ちっぱなしコンクリート３０が構成される。実際に組み立てる時、該固定部材１０の中空チャンネル１５は先にセパレーター１７を貫通し、次に第一、第二制限部１２、１３を二つの型枠２０の内側表面に当てさせる。また二つの型枠２０は固定部材１０の位置に対応して貫通孔２１が設けられ、セパレーター１７が突き出すために提供される。該第一制限部１２は成型円板１８を合わせて嵌め、該成型円板１８の外径は徐々に縮小する斜面リング部１８１と平面リング部１８２が設けられる。該斜面リング部１８１は上述かぎ爪１２３の端部の斜面１２４と合致して位置決められると同時に、該成型円板１８を該円錐形ヘッド部１２２に当てさせる。該平面リング部１８２の外径は該斜面リング部１８１の最大径と同じであり、該成型円板１８は完全にかぎ爪１２３内に嵌められないために該平面リング部１８２を外へ突出させ、さらに該成型円板１８によってその中一つの型枠２０の内側表面に当てることで、該第一制限部１２のかぎ爪１２３と該型枠２０の間は間隔２２を有し、コンクリートを詰めるために提供され、かぎ爪１２３が露出することを防止する。該第二制限部１３は円錐形ヘッド部１３２とかぎ爪１３３によってもう一つの該型枠２０の内側表面に当て、最後は二つの型枠２０の外壁によってそれぞれパッド１７１をセパレーター１７に嵌め、さらにナット１７２の締め付けに合わせて二つの型枠２０を接近させて固定することで、該打ちっぱなしコンクリート３０の型枠の組み立てを完成でき、コンクリートを流し込む作業が行える。コンクリートが固まった後、該打ちっぱなしコンクリート３０の作成が完成される。
【００１６】
コンクリートが固まった後、型枠２０を外し、また各固定部材１０内にあるセパレーター１７を取り外す。同時に図４、図５に合わせて図６から図８を参照されたい。該第一制限部１２は成型円板１８が嵌められるため、該成型円板１８を取り外した時、該打ちっぱなしコンクリート３０の片側表面が該成型円板１８によって少なくとも一つの内凹み円形溝３１が定められる。該打ちっぱなしコンクリート３０のもう片側表面には、該第二制限部１２のねじ山穴１３５に対応して少なくとも一つの円孔が形成され、最後は第一、第二制限部１２、１３のねじ山孔１２５、１３５にそれぞれボルト１６で締め付けることによって制限封鎖することにより、該打ちっぱなしコンクリート３０の組み立てが完成される。
【００１７】
上述の具体的な実施例の構造によると、以下の効果が得られる。該固定部材１０は打ちっぱなしコンクリート３０を成型する時、コンクリートの中に埋められて固定する。該固定部材１０はプラスチック材質より作られるため、酸化して錆びる問題が起きない。中空チャンネル１５によってセパレーター１７の貫通と取り出しが提供されるため、セパレーター１７が打ちっぱなしコンクリート３０内に残されることを避け、打ちっぱなしコンクリート３０から錆水が流れ出す状況を防止し、壁面の美しさを保つ目的に達する。このほか、該固定部材１０の長軸体１１の両端は該第一制限部１２と該第二制限部１３が設けられ、また中央に該円板凸リブ１４が設けられる。上述第一、第二制限部１２、１３の周辺には少なくとも複数のかぎ爪１２３、１３３が設けられることで、コンクリートの流し込み作業をする時、上述構造によって該固定部材１０の位置を制限できると同時に、固定部材１０とコンクリートの結合強度が上がり、作業における安定性を向上し、打ちっぱなしコンクリート３０の作成効率と良品率が高まる。
【００１８】
以上は、本考案に係る実施例の一部に過ぎないため、本考案の実施範囲を制限するものではない。即ち、本考案の請求の範囲内で行われる変化、修飾なども本考案の範囲に属すべきである。
【符号の説明】
【００１９】
１０              固定部材
１１              長軸体
１２              第一制限部
１２１            リング状凸リブ
１２２            円錐形ヘッド部
１２３            かぎ爪
１２４            斜面
１２５            ねじ山孔
１３              第二制限部
１３１            リング状凸リブ
１３２            円錐形ヘッド部
１３３            かぎ爪
１３４            斜面
１３５            ねじ山孔
１４              円板凸リブ
１５              中空チャンネル
１６              ボルト
１７              セパレーター
１７１            パッド
１７２            ナット
１８              成型円板
１８１            斜面リング部
１８２            平面リング部
２０              型枠
２１              貫通孔
２２              間隔
３０              打ちっぱなしコンクリート
３１              内凹み円形溝
【図１】
0003226979.tif 000003
【図２】
0003226979.tif 000004
【図３】
0003226979.tif 000005
【図４】
0003226979.tif 000006
【図５】
0003226979.tif 000007
【図６】
0003226979.tif 000008
【図７】
0003226979.tif 000009
【図８】
0003226979.tif 000010